(57)【特許請求の範囲】
【請求項１】
（１）上部が開放された直方体型の骨組形態で内側に様々な物品が収納され、下面部には複数のゴム吸着具７が設置された収納枠２と、
（２）四角枠形状に収納枠２の前方先端から後方に向かって上方へと傾斜した状態で固定されて取り付けられており、左右両側には、それぞれ前方に向かって水平方向に前方が開口した挿入管１３が固定されて取り付けられ、挿入管１３には、スリッパ１６の下部の厚さに応じて、前後方向に間隔調節された下部ハンガー１４が組み付けられて設置され、前記下部ハンガー１４の下部には、複数のスリッパ下端支持棒１９が、一定の間隔で固定されて取り付けられている下部据え置き台１１と、
（３）四角枠形状に下部据え置き台１１の上部に同じ傾斜角度を維持した状態で下部が下部据え置き台１１の上部に接して複数の接続リング２１を介して接続され、左右両側中央部には、支持軸２２の上部がヒンジ結合されており、前記支持軸２２の下部は収納枠２の上部枠３に穿孔された貫通孔２４を通じて垂直下方へと貫通し、この状態で貫通孔２４を通過した支持軸２２の下部先端には、終端ナット２５が固定締結され、前記支持軸２２には、コイルスプリング２６が嵌められていて、下部据え置き台１１の上方にて、上部が後方に向かって一定角度遊動されることでコイルスプリング２６により弾性支持された上部据え置き台２０と、で構成されたことを特徴とするスリッパ乾燥据え置き台。 
【請求項２】
前記収納枠２は、内側に金属製または合成樹脂製である一つまたは複数の収納容器９が収納される、前記収納容器９は、上部が開放されたケースの形状で、複数の排水孔１０が穿孔されていることを特徴とする請求項１に記載のスリッパ乾燥据え置き台。 
【請求項３】
前記下部ハンガー１４は、下部据え置き台１１の左右の長さに長さに見合った棒状であり、左右両側端部に間隔調整棒１５が後方に曲げ形成されていて「コ」の字型をなし、下部ハンガー１４の左右両側端部にて曲げ形成された間隔調整棒１５は、左右両側の挿入管１３にぴったりと合うように挿入締結されることを特徴とする請求項１に記載のスリッパ乾燥据え置き台。 
【請求項４】
前記挿入管１３における前方の端部の上部には、内周面に、雌ねじ部が形成された締付ボルト貫通孔１７が穿孔されており、締付ボルト貫通孔１７に締付ボルト１８がねじ込み式に貫通締結されることにより、挿入管１３の内側に挿入されて前後位置調整された下部ハンガー１４の間隔調整棒１５を、締め付けボルト１８の先端が密着されるように接して締付固定を行うようになっており、前記スリッパ下端支持棒１９は、側面から見たときに横向き「V」字状に折り曲げられており、上端部が下部ハンガー１４の下部に一体に固定されて取り付けられていることを特徴とする請求項１又は３に記載のスリッパ乾燥据え置き台。 
【請求項５】
前記上部据え置き台２０には、内側にスリッパ１６の底面上部の縁部分の形状に合わせられているスリッパ上部模型枠３４が、左右両側に固定されて取り付けられており、前記下部据え置き台１１における、上部据え置き台２０のスリッパ上部模型枠３４が固定されて取り付けられた部分の下部側の内側に、スリッパ１６の床面下部の縁部分の形状に適合されているスリッパ下部模型枠３５が、左右両側に固定されて取り付けられていることを特徴とする請求項１に記載のスリッパ乾燥据え置き台。 
【請求項６】
前記上部据え置き台２０は、中央部分に左右水平方向に横切るように、一つまたは複数のスリッパ支持棒２７が固定設置されており、前記スリッパ支持棒２７には、合成樹脂の材質からなる滑り止めチューブ２８が嵌められており、前記上部据え置き台２０の上部中央部分に締結ループ３２が固定されて取り付けられた洗濯ばさみ３３が嵌められていることを特徴とする請求項１又は５に記載のスリッパ乾燥据え置き台。 
【請求項７】
（１）上部が開放された直方体型の骨組形態で下面部に複数のゴム吸着具７が設置された収納枠２と、
（２）四角枠形状をなし、収納枠２の前方先端から後方に上向きへと傾斜するように固定されて取り付けられ、左右両側には、それぞれ前方に向かって水平方向に前方が開口した挿入管１３が固定されて取り付けられ、挿入管１３には、スリッパ１６下部の厚さに応じて、前後方向に間隔調節される下部ハンガー１４が組み付け設置された下部据え置き台１１と、
（３）四角枠形状をなし、下部据え置き台１１の上部に同じ傾斜角度を維持した状態で下部が下部据え置き台１１の上部に接して複数の接続リング２１を介して接続され、左右両側には、それぞれ垂直下方にコイルスプリング２６が固定されて取り付けられ、コイルスプリング２６の下端部は、収納枠２に備えられた上部枠３の上面部に固定されて取り付けられ、下部据え置き台１１の上方にて、上部が後方に向かって一定角度遊動されながら弾性支持された上部据え置き台２０とからなり、
前記上部据え置き台２０の内側には、スリッパ１６の靴の底の前方部分に合う形状で上面部に複数の滑り防止突起４１aが突出形成された靴の底前方模型板４２が左右両側に固定されて取り付けられ、下部据え置き台１１には、上部据え置き台２０の靴の底前方模型板４２が固定されて取り付けられた部分の下部側における内側のスリッパ１６の靴の底の後方部分に合う形状で上面部に複数の滑り止め突起４１bが突出形成された靴の底後方模型板４３が左右両側に固定されて取り付けられており、
上部据え置き台２０の上部には、上部据え置き台２０に沿って上下に位置調節されるゴムバンド４４が、左右水平方向に横切った状態で設置されることにより、据え置かれるスリッパ１６の上部を押さえ支持することを特徴とするスリッパ乾燥据え置き台。 
【請求項８】
前記収納枠２は、下部枠４の下部に内部が空いている直方体形状の位置固定容器３７が着脱可能に組み付け設置するようになっており、
前記位置固定容器３７は、下部枠４の下面部に準拠したサイズを有し、上部に、栓３８により開閉される開閉口３９を有し、これにより、内部に水や砂を充填させて一定の負荷を与えられるようになっており、上面部に、複数の締結ループ４０が固定されて取り付けられており、これにより、下部枠４に締結ループ４０が締結されながら下部枠４の下面部に位置固定容器３７が着脱式に組み付けられて設置されることを特徴とする請求項７に記載のスリッパ乾燥据え置き台。 
【請求項９】
前記下部ハンガー１４は、下部据え置き台１１の左右の長さに見合う棒状で、左右両側端部に後方に曲げ形成された間隔調整棒１５によって「コ」の字型をなしており、前記下部ハンガー１４の左右両側端部に曲げ形成された間隔調整棒１５は、左右両側の挿入管１３に合わせられるように挿入されながらスリッパ１６下部の厚さに応じて、下部ハンガー１４が前後方向に間隔調節されるのであり、前記挿入管１３における前方の端の部分の上部には、内周面に雌ねじ部が形成された締付ボルト貫通孔１７が穿孔されており、締付ボルト貫通孔１７に締付ボルト１８が、ネジ締結式に貫通締結されることで、前記挿入管１３の内側に挿入されて前後に位置調整された下部ハンガー１４の間隔調整棒１５について、締め付けボルト１８の先端が密着されるように接して締付固定を行うものであり、前記下部ハンガー１４の下部には、側面から見ると、横向き「V」字状に曲げた複数のスリッパ下端支持棒１９が、一定の間隔で固定されて取り付けられていてスリッパ下端支持棒１９によって据え置きされたスリッパ １６の下端部が支持されていることを特徴とする請求項７に記載のスリッパ乾燥据え置き台。 
【請求項１０】
前記靴の底前方模型板４２と靴の底後方模型板４３は、それぞれ上部据え置き台２０と下部据え置き台１１の内側にあって、上下方向に横切っており、この状態にて、底前方模型板４２の上下端部は、上部据え置き台２０の内周面の上下部に固定されて取り付けられ、靴の底後方模型板４３の上下端部は、下部据え置き台１１の内周面の上下部に固定されて取り付けられていることを特徴とする請求項７に記載のスリッパ乾燥据え置き台。
【発明の詳細な説明】
【技術分野】
【０００１】
本発明は、上履き、浴室靴などの様々なスリッパを乾燥させるか、または据え置きする用途に使用されるとともに、石鹸やスポンジなどの様々な物品を収納及び保管するスリッパ乾燥据え置き台に関する。より詳細には、（１）上部が開放された直方体型の骨組形態で、内側に様々な物品が収納できるようになっており、複数のゴム吸着具が設置された収納枠と、（２）四角枠形状をなし、前記収納枠の前方先端から後方に向かって上方傾斜状態で固定されて取り付けられており、前方には、下部ハンガーが着脱式に装着されてスリッパ下部の厚さに応じて、前後方向に間隔調節されながらスリッパの下部がぴったりと合うように挿入されて係止支持される下部据え置き台と、（３）四角枠形状をなし、前記下部据え置き台の上部に同じ傾斜角度を維持した状態で、下部が下部据え置き台の上部に接して複数の接続リングを介して接続され、左右両側に固定設置されたコイルスプリングによって下部据え置き台の上部でその上部が後方に向かって一定角度遊動されつつ、前記コイルスプリングによって弾性支持された上部据え置き台と、で構成されていることを特徴とするスリッパ乾燥据え置き台に関するものである。
【背景技術】
【０００２】
一般的に、お風呂やトイレやベランダなどの場所では、シャワーや洗面、洗濯などの洗浄を頻繁にするところ、このような場所で使用されているスリッパは、水が付く場合が頻繁に発生してほとんど水に濡れている状態で保持される。これにより、バスルームやベランダなどの出入時、靴下や足に濡れているスリッパから水が付着して不快感を誘発させ、様々な病原菌の生息環境を向上させ、皮膚疾患を引き起こす原因となっている。
【０００３】
前記のような問題点を補完するために、本出願人により考案されて、登録された大韓民国登録実用新案登録番号第２０-０４５４１６７号では、図１０に示されたように、（１）上部が開放された直方体型の骨組形態で内側に様々な物品が収納可能となり、下面部には複数のゴム吸着具７'が設置された収納枠２'と、（２）四角枠形状をなし、前記収納枠２'の前方先端から後方に向かって上方傾斜状態で、固定されて取り付けられスリッパの下部が挿入されて係止支持されるように「コ」の字型に曲げた棒形状の下部ハンガー１４'が前方に突出するように左右水平方向に固定されて取り付けられた下部据え置き台１１'と、（３）四角枠形状をなし、前記下部据え置き台１１'の上部に、同じ傾斜角度を維持した状態で、下部が下部据え置き台１１'の上部に接して複数の接続リング２１ 'を介して接続されており、互いに接続された部分の左右両側の端部には、それぞれトーションスプリング４５'で締結されていて、前記下部据え置き台１１'の上部でその上部が後方に向かって一定角度遊動しつつ、トーションスプリング４５'によって弾性支持されるようになっており、中央部分には、左右水平方向に横切って一つまたは複数のスリッパ支持棒２７'が固定設置されているが、前記スリッパ支持棒２７'には、合成樹脂の材質からなる滑り止めチューブ２８'が挿入されていて、斜めに据え置きされたスリッパが横向きに倒れることを防止する上部据え置き台２０'とで構成されたスリッパ乾燥据え置き台１'が開示されている。
【０００４】
しかし、前記従来技術は、スリッパの下部が挿入されて係止支持される下部ハンガー１４ 'が下部据え置き台１１'に一体に固定されて取り付けられていて、スリッパの下部(かかと部分)が下部ハンガー１４ 'と下部据え置き台１１'との間の間隔よりも厚い場合には、「コ」の字型に曲げた下部ハンガー１４'の内側に入らないし、逆にスリッパの下部(かかと部分)が薄い場合には、下部ハンガー１４にしっかり係止支持されず、容易に遊動して、左右に滑って倒れる問題があった。
【０００５】
また、前記上部据え置き台２０'が左右両側のトーションスプリング４５'によって後方に向かって一定角度遊動されながら弾性支持されるようになっているが、前記トーションスプリング４５'は、所定の形状に屈曲した線形スプリングとして、一般的に弾性支持力と反動力が弱くて、長期間の使用時、耐久性が低下して簡単に破損するだけでなく、下部据え置き台１１'と同じ角度を一定に保つことができず、上部または下部に向かって傾斜し、前記トーションスプリング４５'の弾性力を超える力が加わると、トーションスプリング４５'は、簡単に上部据え置き台２０'から分離離脱されるので、スリッパ乾燥据え置き台１'が破損するという問題点があった。
【発明の概要】
【発明が解決しようとする課題】
【０００６】
したがって、本発明は、前記のような従来の問題に鑑みなされたもので、収納枠の前方に一定の角度で傾斜した下部据え置き台と上部据え置き台を設置するが、前記下部据え置き台には、前方に着脱可能に締結される下部ハンガーを備えて、据え置かれるスリッパ下部(かかと部分)の厚さにぴったりと合うようるように下部ハンガーの前後間隔が調整されるようにしながら、前記下部ハンガーの下部に備えられた複数のスリッパ下端支持棒によって据え置かれるスリッパの下端部がトイレなどの床面に触れないようにし、前記上部据え置き台の左右両側には、それぞれ支持軸とコイルスプリングを設置して使用時にも安定的に上部据え置き台が一定の角度で傾斜した状態で弾性支持されながら、大きな荷重が加わる場合にも、コイルスプリングにより衝撃が緩衝及び吸収されてスリッパ乾燥据え置き台が破損せず、また上部据え置き台と下部据え置き台には、スリッパの底面の枠形状でなるスリッパ模型枠を備えてスリッパの据え置き位置を容易に把握できるようにし、前記上部据え置き台に洗濯鋏を備えて洗濯物バーなどにかける場合、遊動しないようにすることにその目的がある。
【課題を解決するための手段】
【０００７】
これらの目的を達成するために、（１）上部が開放された直方体型の骨組形態で内側に様々な物品が収納され、下面部には複数のゴム吸着具が設置された収納枠と、（２）四角枠形状をなし、収納枠の前方先端から後方に向かって上方へと傾斜状態で固定されて取り付けられており、左右両側には、それぞれ前方に向かって水平方向に前方が開口した挿入管が固定されて取り付けられ、挿入管には、スリッパ下部の厚さに応じて、前後方向に間隔調節された下部ハンガーが組み付けられて設置され、前記下部ハンガーの下部には、複数のスリッパ下端支持棒が、一定の間隔で固定されて取り付けられている下部据え置き台と、（３）四角枠形状をなし、下部据え置き台の上部に、同じ傾斜角度を維持した状態で下部が下部据え置き台の上部に接して複数の接続リングを介して接続され、左右両側中央部には、支持軸の上部がヒンジ結合されており、前記支持軸の下部が、収納枠の上部枠に穿孔された貫通孔を介して垂直下方に貫通介在された状態で、貫通孔を通過した支持軸の下部先端には、終端ナットが固定締結され、前記支持軸には、コイルスプリングが嵌められていて、下部据え置き台の上方にて、上部が後方に向かって一定角度遊動しながら、コイルスプリングにより弾性支持された上部据え置き台と、で構成されことに、本発明の特徴がある。
【発明の効果】
【０００８】
前記のように本発明によれば、収納枠の前方に一定の角度で傾斜した下部据え置き台と上部据え置き台を設置するが、前記下部据え置き台には、前方に着脱可能に締結される下部ハンガーを備えて、据え置かれるスリッパ下部(かかと部分)の厚さにぴったりと合うようるように下部ハンガーの前後間隔が調整されるようにしながら前記下部ハンガーの下部に備えられた複数のスリッパ下端支持棒によって据え置かれるスリッパの下端部がトイレなどの床面に触れないようにする。前記上部据え置き台の左右両側には、それぞれ支持軸とコイルスプリングを設置して使用時にも安定的に上部据え置き台が一定の角度で傾斜した状態で弾性支持されることから、大きな荷重が加わる場合にも、コイルスプリングにより衝撃が緩衝及び吸収されてスリッパ乾燥据え置き台が破損しない。また、上部据え置き台と下部据え置き台には、スリッパの底面の枠形状をなすスリッパ模型枠を備えることで、スリッパの据え置き位置を容易に把握できるようにし、前記上部据え置き台に洗濯鋏を備えて洗濯物バーなどにかける場合、遊動しないようにすることができる効果がある。
【図面の簡単な説明】
【０００９】
【図１】本発明に係るスリッパ乾燥据え置き台の下部ハンガーを取り外した状態の斜視概略図である。
【図２】本発明に係るスリッパ乾燥据え置き台の組立状態を示す斜視概略図である
【図３】本発明に係るスリッパ乾燥据え置き台にスリッパが据え置かれた状態を示す斜視概略図である。
【図４】本発明に係るスリッパ乾燥据え置き台にスリッパ模型枠が装着された状態の斜視概略図である。
【図５】本発明に係るスリッパ乾燥据え置き台の収納枠に収納容器が装着されている状態の斜視概略図である。
【図６】本発明による他の実施例によるスリッパ乾燥据え置き台で靴の底前方模型板及び靴の底後方模型板と下部ハンガーがそれぞれ分離された状態の斜視概略図である。
【図７】本発明による他の実施例によるスリッパ乾燥据え置き台の組立状態を示す斜視概略図である。
【図８】本発明に係る他の実施例によるスリッパ乾燥据え置き台にスリッパが据え置きされた状態を示す斜視概略図である。
【図９】本発明による他の実施例によるスリッパ乾燥据え置き台の下部に位置固定容器が組立及び設置されている状態の斜視概略図である。
【図１０】従来のスリッパ乾燥据え置き台の斜視概略図である。
【発明を実施するための形態】
【００１０】
以下、本発明による望ましい構成を図面によって詳しく説明すれば、次のようである。
【００１１】
本発明のスリッパ乾燥据え置き台１は、図１乃至図５に図示されたように、上履き、浴室靴などの様々なスリッパを乾燥させるか、または据え置く用途に使用されるとともに、石鹸やスポンジなどの様々な物品を収納及び保管するものである。上部が開放された直方体型の骨組の形態であり、（１）内側に様々な物品が収納でき、下面部には、複数のゴム吸着具７が設置された収納枠２と、（２）四角枠形状に、前記収納枠２の前方先端から後方に向かって上方へと傾斜する状態に固定されて取り付けられており、前方には、下部ハンガー１４が着脱式に装着されてスリッパ１６下部の厚さに応じて、前後方向に間隔調節されることでスリッパ１６の下部がぴたりと合うように差し込まれて係止支持される下部据え置き台１１と、（３）四角枠形状に、前記下部据え置き台１１の上部にて同じ傾斜角度を維持した状態で下部が下部据え置き台１１の上部に接して複数の接続リング２１を介して接続され、左右両側中央部に備えられた支持軸２２とコイルスプリング２６によって、下部据え置き台１１の上方にて、上部が後方に向かって一定角度だけ遊動し、前記コイルスプリング２６によって弾性支持されている上部据え置き台２０とから構成される。
【００１２】
前記収納枠２は、図１乃至図５に図示されたように、上部が開放された直方体型の骨組の形態にて内側に様々な物品が収納されるようにする部分であり、全体的に高い耐食性と高強度を有する金属材料や合成樹脂材料からなる。収納枠２は、水平に配置され、四角枠形状の上部枠３と下部枠４が上下に一定間隔だけ離された状態で設けられ、前記上部枠３と下部枠４との間には、それぞれの角部分と側面部分に沿って垂直方向に立てられた複数本の垂直連結棒５が固定されて取り付けられて上部枠３と下部枠４との間を接続するようになっている。前記下部枠４の内側には、水平方向および垂直方向に横切る複数の下部ブラケット６が一定の間隔で固定されて取り付けられることで、上部が開放された直方体型の骨組形態の収納枠２をなすようになっていて、開放された上部を通じて内側の様々な物品が収納できるようになっている。前記収納枠２の下部枠４には、一定の間隔で複数本のゴム吸着具７が設置されており、前記ゴム吸着具７が、滑らかな磁器製のタイルなどからなるバスルーム、トイレ、ベランダなどの床面上に吸着式に着脱されることで、収納枠２が位置固定されるようになっている。
【００１３】
また、前記収納枠２は、内側中央部分に一つまたは複数の間仕切り８が一定の間隔で固定されて取り付けられており、前記間仕切り８を基準に収納枠２の内部が複数本の間仕切り空間に分かれ、複数の物品を区画された間仕切り空間ごとに整理して収納できるようになっている。 
【００１４】
一方、前記収納枠２には、図５に図示されたように、内側にステンレス等の金属材料やPVCなどの合成樹脂の材質からなる一つまたは複数の収納容器９がぴったりと合わさるように収納されることになる。前記収納容器９は、上部が開放されたケース形状で複数の排水孔１０が穿孔されてサイズが小さい物品も収納できるようになっている。
【００１５】
前記下部据え置き台１１は、図１乃至図５に図示されたように、収納枠２の前方先端から後方に向かって上方へと傾斜した状態で固定されて取り付けられている。前方には、下部ハンガー１４が、着脱式に装着されてスリッパ１６下部の厚さに応じて、前後方向に間隔調節されることでスリッパ１６の下部がぴったりと合わさるように、挿入されて係止支持される部分として、高い耐食性と高強度を有する金属材料や合成樹脂材質からなる四角枠形状をなし、前記収納枠２の左右長さにぴったりと合う長さになっている。前記収納枠２の前方先端から後方に向かって一定の角度で上方へと傾斜した状態で固定されて取り付けられ、下端部は床の上に触れて支持されるようになっており、上部は収納枠２の上面部よりも上方に突出して位置するようになっている。前記下部据え置き台１１上部の左右両側端部と、収納枠２の上面部との間には、垂直方向に接続サポート１２が一体に固定されて取り付けられる。そのため、一定の角度で傾斜するように設置された下部据え置き台１１が、収納枠２の前方先端に強固に固定されて取り付けられた状態を維持するようになっている。
【００１６】
また、前記下部据え置き台１１には、左右両側の中ほどの部分に、それぞれ前方に向かって水平方向に前方が開口した挿入管１３が固定されて取り付けられており、前記挿入管１３には「コ」の字型に曲げた下部ハンガー１４が着脱可能に装着され、前後方向に間隔を調節するようになっている。一方、前記下部ハンガー１４は、下部据え置き台１１の左右長さにぴったりと一致する棒状で、左右両側端部に間隔調整棒１５が後方に曲げ形成されていて「コ」の字型をなすようになっている。前記下部ハンガー１４の左右両側端部に曲げ形成された間隔調整棒１５は、図１および図２に図示されたように、左右両側の挿入管１３にぴったりと合うように挿入されながらスリッパ１６下部の厚さに応じて、下部ハンガー１４が前後方向に間隔を調節するようになっている。前記挿入管１３の前方端部の上部には、内周面に雌ねじ部が形成された締付ボルト貫通孔１７が穿孔されているので、前記締付ボルト貫通孔１７に締付ボルト１８がねじ込み式に貫通締結される。このようにして、前記挿入管１３の内側に挿入されて前後に位置調整された、下部ハンガー１４の間隔調整棒１５を、締め付けボルト１８の先端が密着されるように接して締付固定するようになっている。前記下部ハンガー１４の下部には、側面から見ると、横向き「V」字状に曲げられた複数のスリッパ下端支持棒１９が一定の間隔で固定されて取り付けられており、前記スリッパ下端支持棒１９に据え置かれたスリッパ１６の下端部が支持されるので、トイレなどの床面にスリッパ１６の下端部が届かず、汚染された水がスリッパ１６に染みこまないようになっている。
【００１７】
上記のように、スリッパ１６の下部(かかと部分)の厚さにぴったりと合うように前後に間隔調整して前方に突出するように左右水平方向に固定されて取り付けられた下部ハンガー１４には、その内側にスリッパ１６の下部がぴったりと合うように挿入されながら係止支持されるようになっている。これにより、ユーザーが着用したスリッパ１６を外した後、手でスリッパ１６を持ち上げて、スリッパ乾燥据え置き台１の上に据え置かれる代わりにスリッパ１６を足に着用した状態で、そのままスリッパ１６の下部を図３に図示されたように、下部ハンガー１４の内側に挿入して係止支持されるようにしながら、手軽に着用したスリッパ１６をはずすことができるようになる。
【００１８】
前記上部据え置き台２０は、図１乃至図５に図示されたように、下部据え置き台１１の上部に同じ傾斜角度を維持した状態で下部据え置き台１１の上部でその上部が後方に向かって一定角度遊動されながら弾性支持される部分として、高い耐食性と高強度を有する金属材料や合成樹脂材質からなる四角枠形状をなしており、前記下部据え置き台１１の左右の長さにぴったりと合う長さになっている。そして、前記下部据え置き台１１の上部に同じ傾斜角を維持した状態で下部が下部据え置き台１１の上部に接している。前記下部据え置き台１１の上部と上部据え置き台２０の下部が接している部分には、複数の接続リング２１が一定の間隔で締結されて相互に接続されるようになっている。前記上部据え置き台２０の左右両側面の中ほどの部分には、それぞれ上下方向に立てられた棒状の支持軸２２の上部が、上部締結ピン２３によってヒンジ式に回転可能に接続されている。前記支持軸２２の下部は、図２に示されたように、収納枠２の上部枠３の左右両側中央部に穿孔された貫通孔２４を通じて垂直下方に貫通される。このように貫通介在された状態で、前記各貫通孔２４を通過して下方に突出した支持軸２２の下部先端には、終端ナット２５が固定されて締結される。前記支持軸２２には、通常のコイルスプリング２６がかぶせられている。このコイルスプリング２６が、収納枠２の上部枠３と、上部据え置き台２０との間で一定の弾性力で上部据え置き台２０を弾性支持するため、前記支持軸２２とコイルスプリング２６によって上部据え置き台２０が下部据え置き台１１と同じ角度で傾斜した状態を維持するので、固定された下部据え置き台１１の上部にあって、上部据え置き台２０の上部が後方に向かって一定角度、遊動及び弾性復元がなされるようになっている。
【００１９】
また、前記支持軸２２について、図５に示されたようにすることができる。すなわち、収納枠２の貫通孔２４が穿孔された部分の上部に位置する部分にワッシャ３１を挟んで、コイルスプリング２６の下端部が前記ワッシャ３１によって安定的に支持されるようにすることができる。
【００２０】
これにより、ユーザーは、スリッパ乾燥据え置き台１に据え置きされたスリッパ１６を足を使ってそのまま着用する過程でユーザーの負荷が上部据え置き台２０に加わる場合、上部据え置き台２０に設けられた支持軸２２が収納枠２の貫通孔２４を通じて下方に下がる。これらの間に配置されたコイルスプリング２６の弾性復元力によって、上部据え置き台２０が後方に向かって弾性支持されるので、衝撃が緩衝及び吸収されてスリッパ乾燥据え置き台１が損傷を受けない。ユーザーの負荷が除去されると、前記コイルスプリング２６の弾性復元力によって、支持軸２２が上方に上がることから、上部据え置き台２０が前方上部に向かって回転される。ところが、前記支持軸２２の下端部に備えられた終端ナット２５が上部枠３の貫通孔２４の下端部に引っかかって、それ以上回転されずに一定の角度で傾斜した元の状態に復元される。また、前記収納枠２の下面部に設けられた複数本のゴム吸着具７によって、据え置きされたスリッパ１６の着用時に、スリッパ乾燥据え置き台１が後方に押し出されないことから、簡便に、据え置きされたスリッパ１６を着用するようになっている。
【００２１】
また、前記上部据え置き台２０は、中央部分に左右水平方向に横切るように、一つまたは複数のスリッパ支持棒２７が固定設置されているが、前記スリッパ支持棒２７には、ウレタン樹脂やゴムなどの合成樹脂の材質からなる滑り止めチューブ２８が挿入されていて、斜めに据え置きされたスリッパ１６が横向きに滑って倒れることを防止するようになっている。 
【００２２】
一方、前記上部据え置き台２０の上部には、スリッパ１６の上部を固定する上部ハンガー２９が設置されている。前記上部ハンガー２９は「コ」の字状に曲がった棒状であり、両端には、それぞれ結合リング３０が固定されて取り付けられている。上部据え置き台２０の上部に結合リング３０が嵌合された状態で、上部据え置き台２０を軸に回転可能に設置されることから、前方に回転する場合、スリッパ １６の上部に接して遊動しないように固定するようになっている。
【００２３】
前記上部ハンガー２９は、図１乃至図５に図示されたようになっている。すなわち、上部据え置き台２０の上部左右両側に、それぞれ一対の上部ハンガー２９が設置され、左右のスリッパ１６をそれぞれ固定するようになってるか、または図５に図示されたように、前記上部据え置き台２０の上部に一つの上部ハンガー２９が設置されて、左右のスリッパ１６を一緒に固定するようになっている。
【００２４】
また、前記上部据え置き台２０の上部中央部分には、締結ループ３２が備えられた洗濯ばさみ３３が連結設置されている。前記締結ループ３２が上部据え置き台２０の上部に嵌められることで、洗濯ばさみ３３が連結設置され、前記洗濯ばさみ３３を利用して、洗濯紐などにスリッパの乾燥据え置き台１をかけ、落ちないように固定して、据え置きされたスリッパ１６を迅速に乾燥させることができる。また、図４および５に示されたように、前記上部据え置き台２０の内側には、スリッパ１６の底面上部の縁部分の形状に適合されるスリッパ上部模型枠３４が左右両側に固定されて取り付けられている。前記下部据え置き台１１においては、上部据え置き台２０のスリッパ上部模型枠３４が固定されて取り付けられた部分の下部側の内側に、スリッパ１６の床面下部の縁部分の形状に適合されているスリッパ下部模型枠３５が左右両側に固定されて取り付けられている。このことから、前記スリッパ上部模型枠３４とスリッパ下部模型枠３５によりスリッパ１６の据え置き位置を容易に把握し、左右の正確な位置に据え置きできるようになっている。 
【００２５】
一方、前記上部据え置き台２０と下部据え置き台１１には、図４に示されたように、左右両側に、それぞれ一つまたは複数の側面ゴム吸着具３６a、３６bが設置されている。このことから、バスルームやトイレ、ベランダなどの壁面に固定されて取り付けられることで、スリッパ乾燥据え置き台１が、より強固に固定された状態を維持するようになっている。
【００２６】
発明に係る他の実施例は次のとおりである。 
【００２７】
本発明の他の実施例のスリッパ乾燥据え置き台１は、図６乃至図９に示されたようになっている。すなわち、（１）上部が開放された直方体型の骨組形態をなし、下面部に複数のゴム吸着具７が設置された収納枠２と、（２）四角枠形状をなし、収納枠２の前方先端から後方に上向き傾斜するように固定されて取り付けられ、左右両側には、それぞれ前方に向かって水平方向に前方が開口した挿入管１３が固定されて取り付けられ、挿入管１３には、スリッパ１６下部の厚さに応じて、前後方向に間隔調節される下部ハンガー１４が組みつけられて設けられるようになっている下部据え置き台１１と、（３）四角枠形状をなし、下部据え置き台１１の上部に同じ傾斜角度を維持した状態で、下部が下部据え置き台１１の上部に接して複数の接続リング２１を介して接続され、左右両側には、それぞれ垂直下方にコイルスプリング２６が固定されて取り付けられ、コイルスプリング２６の下端部は、収納枠２に備えられた上部枠３の上面部に固定されて取り付けられて下部据え置き台１１の上方で、上部が後方に向かって一定角度遊動されつつ弾性支持される上部据え置き台２０とから構成されている。前記上部据え置き台２０の内側には、スリッパ１６の靴の底の前方部分にぴったりと合う形状で上面部に複数の滑り止め突起４１aが突出形成された靴の底前方模型板４２が左右両側に固定されて取り付けられる。前記下部据え置き台１１においては、上部据え置き台２０の靴の底前方模型板４２が固定されて取り付けられた部分の下部側の内側に、スリッパ１６の靴の底の後方部分にぴったりと合う形状で上面部に複数の滑り止め突起４１bが突出形成された靴の底後方模型板４３が左右両側に固定されて取り付けられている。前記上部据え置き台２０の上部においては、上部据え置き台２０に沿って上下に位置調節されるゴムバンド４４が、左右水平方向に横切る状態に設置され、据え置かれるスリッパ１６の上部を押さえて支持するようになっている。
【００２８】
また、本発明の他の実施例に係る収納枠２においては、図９に示されたように、下部枠４の下部に、内部が空いている直方体形状の位置固定容器３７が着脱可能に組み付けられて設けられる。前記位置固定容器３７は、PVCなどの合成樹脂材質で下部枠４の下面部に準拠したサイズになっており、上部には栓３８により開閉される開閉口３９が形成されていて、内部に水や砂などを充填させて、一定の負荷を与えるようになっている。上面部には、複数の締結ループ４０が固定されて取り付けられていて、下部枠４に締結ループ４０が締結され、下部枠４の下面部に位置固定容器３７が着脱式に組み付け設置されている。このことから、ゴム吸着具７が付着しない地面上でも位置固定容器３７の荷重によりスリッパ乾燥据え置き台１が遊動せず、位置固定されるようになっている。
【００２９】
また、本発明の他の実施例に係る上部据え置き台２０においては、図６乃至図９に図示されたように、下部据え置き台１１の上部にて同じ傾斜角度を維持しており、この状態で下部据え置き台１１の上方にて、上部が後方に向かって一定角度遊動しながら弾性支持される部分であり、高耐食性と高強度を有する金属材料や合成樹脂材質からなり、四角枠形状に、前記下部据え置き台１１の左右の長さにぴったりと合う長さになっている。前記下部据え置き台１１の上部にて、同じ傾斜角度を維持した状態で、下部が下部据え置き台１１の上部に接しており、前記下部据え置き台１１の上部と、上部据え置き台２０の下部とが接している部分には、複数の接続リング２１が一定間隔で締結されて相互に接続されるようになっている。前記上部据え置き台２０の左右両側には、それぞれコイルスプリング２６の上端部が固定されて取り付けられて、垂直下方にコイルスプリング２６が設置されている。前記コイルスプリング２６の下端部は、収納枠２に備えられた上部枠３の上面部に固定されて取り付けられている。前記コイルスプリング２６が、収納枠２の上部枠３と上部据え置き台２０との間で一定の弾性力で上部据え置き台２０を弾性支持してるのであり、コイルスプリング２６によって上部据え置き台２０が下部据え置き台１１と同じ角度で傾斜した状態を維持しつつ、固定された下部据え置き台１１の上部で、上部据え置き台２０の上部が後方に向かって一定角度遊動し弾性復元されるようになっている。
【００３０】
これにより、ユーザーは、本発明の他の実施例に係るスリッパ乾燥据え置き台１に据え置きされたスリッパ１６を、足を使ってそのまま着用する過程で、ユーザーの負荷が上部据え置き台２０に加わる場合、上部据え置き台２０と収納枠２の上部枠３との間に接続設置されたコイルスプリング２６の弾性復元力によって上部据え置き台２０が後方に向かって弾性支持される。このことから、衝撃が緩衝及び吸収されて、スリッパ乾燥据え置き台１が損傷されず、ユーザーの負荷が除去されると、前記コイルスプリング２６の弾性復元力によって上部据え置き台２０が前方上部に向かって回転されて、一定の角度で傾斜した元の状態に復元される。また、前記収納枠２の下面部に設けられた複数本のゴム吸着具７や位置固定容器３７によって、据え置きされたスリッパ１６の着用時に、スリッパ乾燥据え置き台１が後方に押し出されず、簡便に、据え置きされたスリッパ１６を着用できるようになっている。
【００３１】
また、図６乃至図８に図示されたように、前記上部据え置き台２０おいては、内側にスリッパ１６の靴の底の前方部分にぴったりと合う形状で上面部に複数の滑り止め突起４１aが突出形成された靴の底前方模型板４２が、左右両側にそれぞれ固定されて取り付けられている。前記下部据え置き台１１においては、上部据え置き台２０の靴の底前方模型板４２が固定されて取り付けられた部分の下部側の内側に、スリッパ１６の靴の底の後方部分にぴったりと合う形状で、上面部に複数の滑り止め突起４１bが突出形成された靴の底後方模型板４３が、左右両側にそれぞれ固定されて取り付けられている。このことから、前記靴の底前方模型板４２と靴の底後方模型板４３によって、スリッパ１６の据え置き位置を容易に把握しながらウレタン樹脂やゴムなどの合成樹脂の材質からなる複数の滑り止め突起４１a、４１bによって据え置かれるスリッパ１６が横向きに滑って倒れることを防止するようになっている。前記靴の底前方模型板４２と靴の底後方模型板４３は、それぞれ上部据え置き台２０と下部据え置き台１１の内側に、上下方向に横切っている。この状態で、前記靴の底前方模型板４２の上下端部は、上部据え置き台２０の内周面上下部に一体に固定されて取り付けられ、前記靴の底後方模型板４３の上下端部は、下部据え置き台１１の内周面の上下部に一体に固定されて取り付けられる。このようにして、上部据え置き台２０と下部据え置き台１１の耐久性と強度を補強するようになっている。 
【００３２】
また、前記上部据え置き台２０においては、図８および９に図示されたように、上部にゴムバンド４４が左右水平方向に横切った状態で設置されている。このことから、前記ゴムバンド４４の弾性力によってスリッパ１６の上部が押さえ支持され、倒れたり遊動しないように固定するようになっている。前記ゴムバンド４４は、上部据え置き台２０に沿って上下位置調節されるように設置されていることから、据え置かれるスリッパ１６の大きさに合わせて位置調整しつつ、容易に固定できるようになっている。
【００３３】
以下、本発明の作用は次の通りである。
【００３４】
まず、本発明に係るスリッパ乾燥据え置き台１を利用して、バスルーム、トイレ、ベランダなどで使用しながら、水に濡れたスリッパ１６を乾燥させようとする場合には、図１乃至図５に図示されたように、収納枠２の下面部に設けられた複数本のゴム吸着具７を、浴室などの床面上に吸着式に付着させて、収納枠２が一定の位置に固定されるようにする。前記収納枠２の内側には、一つまたは複数個の収納容器９を設置し、各種石鹸、スポンジなどの物品を収納して便利に使用できるようにする。
【００３５】
次に、前記収納枠２の前方先端から後方に向かって上方斜めに設置された下部据え置き台１１と、前記下部据え置き台１１の上部に同じ傾斜角度を維持した状態で弾性支持されるように接続された上部据え置き台２０との上に、スリッパ１６を据え置きする。図１に示されたように、前記下部据え置き台１１の左右両側に固定されて取り付けられた挿入管１３に下部ハンガー１４の間隔調整棒１５を挿入して、スリッパ１６の下部(かかと部分)の厚さに合わせて下部ハンガー１４の前後の間隔を調整し、前記挿入管１３の締付ボルト貫通孔１７に締付ボルト１８を締結する。前記締付ボルト１８の先端が、挿入管１３の内側に挿入された間隔調整棒１５を締め付け固定して下部ハンガー１４が下部据え置き台１１と前後一定間隔調節された状態で設置されるようにする。このようにして、ユーザーが手を使わずにスリッパ１６を足に着用した状態で、そのまま下部据え置き台１１の下部ハンガー１４の内側にスリッパ１６の下部を挿入して、係止支持されるようにしながら、スリッパ１６を、図３に示すように、手軽にはずすことができる。また、スリッパ１６の下端部が下部ハンガー１４のスリッパ下端支持棒１９によって支持されることから、トイレなどの床面にスリッパ１６の下端部が触れないので、汚染された水がスリッパ１６に染み込まない。また、図４に示されたように、前記上部据え置き台２０と下部据え置き台１１に固定されて取り付けられたスリッパ上部模型枠３４とスリッパ下部模型枠３５とによって、スリッパ１６の据え置き位置を容易に把握するようになる。また、前記上部据え置き台２０のスリッパ支持棒２７に嵌められた滑り止めチューブ２８によって、横向きに倒れずに、安定的に据え置きされた状態を維持するようになり、必要に応じて上部ハンガー２９を利用して、スリッパ１６の上部を固定して、より安定した据え置き態を維持することになる。
【００３６】
前記のようにスリッパ１６が据え置きされた状態で、ユーザーが乾燥据え置き台１の乾燥されたスリッパ１６を足を使って着用しようとする場合、スリッパ１６を着用する過程で、上部据え置き台２０にユーザーの荷重が加わっても、上部据え置き台２０に設けられた支持軸２２が収納枠２の貫通孔２４を通じて下方に下がりながら、その間に配置されたコイルスプリング２６の弾性復元力によって上部据え置き台２０が後方に向かって弾性支持される。このことから、衝撃が緩衝及び吸収されて、スリッパ乾燥据え置き台１が損なわれない。ユーザーの負荷が除去されると、前記コイルスプリング２６の弾性復元力によって支持軸２２が上方に上がることから、上部据え置き台２０が前方上部に向かって回転される。そして、前記支持軸２２の下端部に備えられた終端ナット２５が、上部枠３の貫通孔２４の下端部に引っかかってそれ以上回転されずに一定の角度で傾斜した元の状態に復元される。前記収納枠２の下面部に設けられた複数本のゴム吸着具７により、据え置きされたスリッパ１６の着用時にスリッパ乾燥据え置き台１が後ろに押し出されず、簡便に、据え置きされたスリッパ１６を着用することになる。
【００３７】
一方、本発明の他の実施例に係るスリッパ乾燥据え置き台１の場合には、図６乃至図９に図示されたように、収納枠２の下面部に設けられた複数本のゴム吸着具７をお風呂などの床面上に吸着式に付着させて収納枠２が一定の位置に固定されるようにしたり、内部に水や砂などが充填された位置固定容器３７を締結ループ４０を介して収納枠２の下部枠４の下面部に連結設置して、ゴム吸着具７が付着しない地面上に位置固定されるように設置する。このようにして、スリッパ１６の据え置き時に、図６乃至図８に図示されたように、前記上部据え置き台２０と下部据え置き台１１に固定されて取り付けられた靴の底前方模型板４２と靴の底後方模型板４３によってスリッパ１６の据え置き位置を容易に把握する。また、前記靴の底前方模型板４２と靴の底後方模型板４３の上面部に突出形成された複数の滑り止め突起４１a、４１bによって、据え置かれるスリッパ１６が横向きに倒れずに、安定的に据え置きされた状態を維持するようになる。また、必要に応じて、図８および９に図示されたように、上部据え置き台２０の上部を左右水平方向に横切って設置されたゴムバンド４４によってスリッパ１６の上部を固定して、より安定した据え置き状態を維持することになる。
【００３８】
前記のように、本発明の他の実施例に係るスリッパ乾燥据え置き台１にスリッパ１６が据え置きされた状態で、ユーザーが乾燥据え置き台１の乾燥されたスリッパ１６を、足を使って身に着けたい場合、スリッパ１６を着用する過程で、上部据え置き台２０のユーザーの負荷が加わっても、上部据え置き台２０の左右両側と収納枠２の上部枠３との間に垂直に接続設置されたコイルスプリング２６の弾性復元力によって上部据え置き台２０が後方に向かって弾性支持される。このことから、衝撃が緩衝及び吸収されて、スリッパ乾燥据え置き台１が損傷されず、ユーザーの負荷が除去されると、前記コイルスプリング２６の弾性復元力によって上部据え置き台２０が前方上部に向かって回転されて、一定の角度で傾斜した元の状態に復元される。前記収納枠２の下面部に設けられた複数本のゴム吸着具７や位置固定容器３７によって、据え置きされたスリッパ１６の着用時に、スリッパ乾燥据え置き台１が後方に押し出さなれず、簡便に、据え置きされたスリッパ１６を着用することになる。
【産業上の利用可能性】
【００３９】
本発明に係るスリッパ乾燥据え置き台は、上履き、浴室靴などの様々なスリッパを乾燥させるか、または据え置きする用途に使用される。また、石鹸やスポンジなどの様々な物品を容易に収納及び保管することがあり、スリッパの据え置き位置を容易に把握することができる。長期間使用しても上部据え置き台が安定的に一定の角度で傾斜した状態で弾性支持されることから、コイルスプリングにより衝撃が緩衝及び吸収されて、スリッパ乾燥据え置き台が破損せず、バスルーム用品や生活用品などの産業分野で広く有効に活用することができる。 
【符号の説明】
【００４０】
１、１'…スリッパ乾燥据え置き台；    ２、２'…収納枠；    ３…上部枠；  
４…下部枠；    ５…垂直連結棒；    ６…下部ブラケット；    ７、７'…ゴム吸着具；  
８…間仕切り；    ９…収納容器；    １０…排水孔；    １１、１１'…下部据え置き台；  
１２…接続サポート；    １３…挿入管；    １４、１４'…下部ハンガー；  
１５…間隔調整棒；    １６…スリッパ；    １７…締付ボルト貫通孔；  
１８…締付ボルト；    １９…スリッパ下端支持棒；    ２０、２０'…上部据え置き台；  
２１、２１'…接続リング；    ２２…支持軸；    ２３…上部締結ピン；  
２４…貫通孔；    ２５…終端ナット；    ２６…コイルスプリング；  
２７、２７'…スリッパ支持棒；    ２８、２８ '…滑り止めチューブ；  
２９…上部ハンガー；    ３０…結合リング；    ３１…ワッシャー；  
３２…締結ループ；    ３３…洗濯ばさみ；    ３４…スリッパ上部模型枠；  
３５…スリッパ下部模型枠；    ３６a、３６b…側面ゴム吸着具；  
３７…位置固定容器；    ３８…栓；    ３９…開閉口；    ４０…締結ループ；  
４１a、４１b…滑り止め突起；    ４２…靴の底前方模型板；    
４３…靴の底後方模型板；    ４４…ゴムバンド；  ４５'…トーションスプリング
【図１】
0005689566.tif 000002
【図２】
0005689566.tif 000003
【図３】
0005689566.tif 000004
【図４】
0005689566.tif 000005
【図５】
0005689566.tif 000006
【図６】
0005689566.tif 000007
【図７】
0005689566.tif 000008
【図８】
0005689566.tif 000009
【図９】
0005689566.tif 000010
【図１０】
0005689566.tif 000011